(57)【要約】  モバイルＩＰフォーリンエージェント気付アドレスモードにおいてプロキシ・モバイル・インターネット・プロトコル(ＰＭＩＰ)を実現する方法は、アクセス端末のホームアドレスを検出することを含んでよい。この方法はネットワークノードのアドレスをアクセス端末のホームアドレスにバインドして、ネットワークノードおよびホームエージェント間にトンネルを確立するためにホームエージェントと通信することを含んでもよい。この方法はさらにトンネルを介してホームエージェントからアクセス端末に向けられた複数の第１パケットを受け取って、これら第１パケットをアクセス端末へ送ることを含んでもよい。この方法はアクセス端末によって送られ対応ノードに向けられた複数の第２パケットを受け取って、トンネルを介してこれら第２パケットをホームエージェントへ送ることを含んでもよい。
2010510728.tif 000002
【特許請求の範囲】
【請求項１】
アクセス端末内のモバイルＩＰクライアント機能用のプロキシであるネットワークノードにより行われてモバイルＩＰフォーリンエージェント気付アドレスモードにおいてプロキシ・モバイル・インターネット・プロトコル(ＰＭＩＰ)を実現する方法であって、
前記アクセス端末のホームアドレスを検出し、
ホームエージェントと、前記ネットワークノードのアドレスを前記アクセス端末のホームアドレスにバインドして前記ネットワークノードおよび前記ホームエージェント間にトンネルを確立するために通信し、
前記アクセス端末に向けられた複数の第１パケットを前記ホームエージェントから前記トンネルを介して受け取ってこれら第１パケットを前記アクセス端末に送り、
前記アクセス端末から送られ対応ノードに向けられた複数の第２パケットを受け取ってこれら第２パケットを前記ホームエージェントへ前記トンネルを介して送ることを備える方法。
【請求項２】
前記アクセス端末のホームアドレスの検出は認証中に認証、認可およびアカウンティングコンポーネントから前記アクセス端末のホームアドレスを受け取ることを含む請求項１の方法。
【請求項３】
前記アクセス端末のホームアドレスの検出はホームエージェントから前記アクセス端末のホームアドレスを受け取ることを含む請求項１の方法。
【請求項４】
前記アクセス端末のホームアドレスの検出はホームエージェントから送られる登録応答メッセージを探索することを含む請求項１の方法。
【請求項５】
前記アクセス端末のホームアドレスの検出は前記アクセス端末から前記アクセス端末のホームアドレスを受け取ることを含む請求項１の方法。
【請求項６】
前記ＰＭＩＰは特定の総称ルーティングカプセル化 (ＧＲＥ)トンネルを使用する請求項１の方法。
【請求項７】
前記ＧＲＥトンネルはＩＰｖ４アドレスを前記アクセス端末に割り当てるために使用される請求項６の方法。
【請求項８】
前記ＧＲＥトンネルはＩＰｖ６アドレスを前記アクセス端末に割り当てるために使用される請求項６の方法。
【請求項９】
前記ＧＲＥトンネルはＭＩＰｖ４アドレスを前記アクセス端末に割り当てるために使用される請求項６の方法。
【請求項１０】
前記ＧＲＥトンネルはＭＩＰｖ６アドレスを前記アクセス端末に割り当てるために使用される請求項６の方法。
【請求項１１】
さらに重複したＩＰアドレスのアクセス端末を区別するために総称ルーティングカプセル化 (ＧＲＥ)キーを使用する請求項１の方法。
【請求項１２】
モバイルＩＰフォーリンエージェント気付アドレスモードにおいてプロキシ・モバイル・インターネット・プロトコル(ＰＭＩＰ)を実現するネットワークノードであって、
プロセッサと、
前記プロセッサとの電気通信にあるメモリと、
前記メモリに格納された複数の命令とを備え、
前記複数の命令は、
前記アクセス端末のホームアドレスを検出し、
ホームエージェントと、前記ネットワークノードのアドレスを前記アクセス端末のホームアドレスにバインドして、前記ネットワークノードおよび前記ホームエージェント間にトンネルを確立するために通信し、
前記トンネルを介して前記ホームエージェントから前記アクセスに向けられた複数の第１パケットを受け取って、前記アクセス端末へ前記複数の第１パケットを送り、
前記アクセス端末によって送られ対応ノードに向けられた複数の第２パケットを受け取って、前記トンネルを介して前記ホームエージェントへ前記複数の第２パケットを送るように実行可能であるネットワークノード。
【請求項１３】
前記アクセス端末のホームアドレスの検出は認証中に認証、認可およびアカウンティングコンポーネントから前記アクセス端末のホームアドレスを受け取ることを含む請求項１２のネットワークノード。
【請求項１４】
前記アクセス端末のホームアドレスの検出はホームエージェントから前記アクセス端末のホームアドレスを受け取ることを含むことを特徴とする請求項１２のネットワークノード。
【請求項１５】
前記アクセス端末のホームアドレスの検出はホームエージェントから送られる登録応答メッセージを探索することを含む請求項１２のネットワークノード。
【請求項１６】
前記アクセス端末のホームアドレスの検出は前記アクセス端末から前記アクセス端末のホームアドレスを受け取ることを含む請求項１２のネットワークノード。
【請求項１７】
前記ＰＭＩＰは特定の総称ルーティングカプセル化 (ＧＲＥ)トンネルを使用する請求項１２のネットワークノード。
【請求項１８】
モバイルＩＰフォーリンエージェント気付アドレスモードにおいてプロキシ・モバイル・インターネット・プロトコル(ＰＭＩＰ)を実現する装置であって、
前記アクセス端末のホームアドレスを検出する手段と、
ホームエージェントと、前記ネットワークノードのアドレスを前記アクセス端末のホームアドレスにバインドして前記ネットワークノードおよび前記ホームエージェント間にトンネルを確立するために通信する手段と、
前記アクセス端末に向けられた複数の第１パケットを前記ホームエージェントから前記トンネルを介して受け取ってこれら第１パケットを前記アクセス端末に送る手段と、
前記アクセス端末から送られ対応ノードに向けられた複数の第２パケットを受け取ってこれら第２パケットを前記ホームエージェントへ前記トンネルを介して送る手段とを備える装置。
【請求項１９】
前記アクセス端末のホームアドレスの検出は認証中に認証、認可およびアカウンティングコンポーネントから前記アクセス端末のホームアドレスを受け取ることを含む請求項１８の装置。
【請求項２０】
前記アクセス端末のホームアドレスの検出はホームエージェントから前記アクセス端末のホームアドレスを受け取ることを含む請求項１８の装置。
【請求項２１】
前記アクセス端末のホームアドレスの検出はホームエージェントから送られる登録応答メッセージを探索することを含む請求項１８の装置。
【請求項２２】
前記アクセス端末のホームアドレスの検出は前記アクセス端末から前記アクセス端末のホームアドレスを受け取ることを含む請求項１８の装置。
【請求項２３】
前記ＰＭＩＰは特定の総称ルーティングカプセル化 (ＧＲＥ)トンネルを使用する請求項１８の装置。
【請求項２４】
モバイルＩＰフォーリンエージェント気付アドレスモードにおいてプロキシ・モバイル・インターネット・プロトコル(ＰＭＩＰ)を実現するコンピュータプログラム製品であって、
前記アクセス端末のホームアドレスを検出するためのコード、
ホームエージェントと、前記ネットワークノードのアドレスを前記アクセス端末のホームアドレスにバインドして前記ネットワークノードおよび前記ホームエージェント間にトンネルを確立するために通信するためのコードと、
前記アクセス端末に向けられた複数の第１パケットを前記ホームエージェントから前記トンネルを介して受け取ってこれら第１パケットを前記アクセス端末に送るためのコード、および
前記アクセス端末から送られ対応ノードに向けられた複数の第２パケットを受け取ってこれら第２パケットを前記ホームエージェントへ前記トンネルを介して送るためのコードを含む複数の命令を媒体上に持つコンピュータ可読媒体を備えるコンピュータプログラム製品。
【請求項２５】
前記アクセス端末のホームアドレスの検出は認証中に認証、認可およびアカウンティングコンポーネントから前記アクセス端末のホームアドレスを受け取ることを含む請求項２４のコンピュータプログラム製品。
【請求項２６】
前記アクセス端末のホームアドレスの検出はホームエージェントから前記アクセス端末のホームアドレスを受け取ることを含む請求項２４のコンピュータプログラム製品。
【請求項２７】
前記アクセス端末のホームアドレスの検出はホームエージェントから送られる登録応答メッセージを探索することを含む請求項２４のコンピュータプログラム製品。
【請求項２８】
前記アクセス端末のホームアドレスの検出は前記アクセス端末から前記アクセス端末のホームアドレスを受け取ることを含む請求項２４のコンピュータプログラム製品。
【請求項２９】
前記ＰＭＩＰは特定の総称ルーティングカプセル化 (ＧＲＥ)トンネルを使用する請求項２４のコンピュータプログラム製品。
【発明の詳細な説明】
【技術分野】
【０００１】
（関連出願の相互参照）
本願は、発明者Fatih Ulupinar, Jun Wang, and Parag Agasheの「プロキシＭＩＰおよびクライアントベースＭＩＰｖ４フォーリンエージェント」について２００６年１１月１７日に提出され参照によりここに組み込まれる米国特許出願第６０/８６６,４０２号に関連しその優先権を主張する。
【０００２】
本願は、発明者Fatih Ulupinar, Jun Wang, and Parag Agasheの「プロキシモバイルＩＰおよびモバイルＩＰフォーリンエージェント気付アドレスモード間の相互作用のための方法および装置」について２００６年１１月２０日に提出され参照によりここに組み込まれる米国特許出願第６０/８６６,５８２号にも関連しその優先権を主張する。
【０００３】
本願は、発明者Fatih Ulupinar, Jun Wang, and Parag Agasheの「プロキシモバイルＩＰおよびモバイルＩＰフォーリンエージェント気付アドレスモード間の相互作用のための方法および装置」について２００６年１１月２１日に提出されここに組み込まれる米国特許仮出願第６０/８６６,８２３号にも関連しその優先権を主張する。
【０００４】
本明細書は一般に無線通信システムに係る。具体的には、本明細書はフォーリンエージェント気付アドレスモードにおいてプロキシバイルＩＰを実現する方法と装置に関する。
【背景技術】
【０００５】
無線通信装置は、消費者ニーズに応じさらに携帯性および利便性を向上させるためにより小さくかつよりパワフルになった。消費者は、携帯電話、携帯情報端末(PDA)、ラップトップコンピュータなどのような無線通信装置に依存するようになった。消費者は増大した機能性、拡張したカバーエリア、信頼のおけるサービスを期待するようになってきている。無線通信装置は、移動局、局、アクセス端末、ユーザ端末、端末、加入者ユニット、ユーザ機器などを指してよい。
【発明の概要】
【０００６】
無線通信システムは、多数の無線通信装置のためのコミュニケーションを同時にサポートしてよい。無線通信装置は、アップリンクおよびダウンリンク上の伝送によって１つ以上の基地局(それらはアクセスポイント、ノードＢなどと択一的に指してよい)と通信してよい。アップリンク(すなわち、逆方向リンク(reverse link))は無線通信装置から基地局への通信リンクを指し、ダウンリンク(すなわち、順方向リンク(forward link))は基地局から無線通信装置への通信リンクを指す。
【０００７】
無線通信システムは、利用可能なシステムリソース(例えば帯域幅および送信パワー)を分け合うことにより多数のユーザとの通信をサポートできる多重接続システムでよい。こうした多重接続システムの例は符号分割多重接続(ＣＤＭＡ)システム、時分割多元接続(ＴＤＭＡ)システム、周波数分割多元接続(ＦＤＭＡ)システムおよび直交周波数分割多元接続(ＯＦＤＭＡ)システムを含む。
【図面の簡単な説明】
【０００８】
【図１】無線通信システムの例を示す。
【図２】モバイルＩＰ ＦＡ ＣｏＡモードにおいてＰＭＩＰを実現するシステムを示す。
【図３】モバイルＩＰ ＦＡ ＣｏＡモードにおいてＰＭＩＰを実現する方法を示す。
【図４】図３に示す方法に対応する複数の機能付手段ブロックを示す。
【図５Ａ】モバイルＩＰ ＦＡ ＣｏＡモードにおいてＰＭＩＰを実現する別の方法を示す。
【図５Ｂ】図５Ａと同じ方法を示す。
【図６】逆方向リンク上でＭＳ／ＡＴからＣＮへパケットとして移動し、順方向リンク上でＣＮからＭＳ／ＡＴへパケットとして移動するパケットヘッダを示す例を示す。
【図７Ａ】バイルＩＰ ＦＡ ＣｏＡモードにおいてＰＭＩＰを実現する別の方法を示す。
【図７Ｂ】図７Ａと同じ方法を示す。
【図８Ａ】モバイルＩＰ ＦＡ ＣｏＡモードにおいてＰＭＩＰを実現する別の方法を示す。
【図８Ｂ】図８と同じ方法を示す。
【図９Ａ】モバイルＩＰ ＦＡ ＣｏＡモードにおいてＰＭＩＰを実現する別の方法を示す。
【図９Ｂ】図９Ａと同じ方法を示す。
【図１０Ａ】モバイルＩＰ ＦＡ ＣｏＡモードにおいてＰＭＩＰを実現する別の方法を示す。
【図１０Ｂ】図１０Ａと同じ方法を示す。
【図１１】モバイルＩＰ ＦＡ ＣｏＡモードにおいてＰＭＩＰを実現する別の方法を示す。
【図１２】無線装置において利用してよい様々なコンポーネントを示す。
【発明を実施するための形態】
【０００９】
図１は、無線通信システム１００の例を示す。無線通信システム１００は、各々の基地局１０４によってサービスされる多数のセル１０２のための通信を提供する。基地局１０４はユーザ端末１０６と通信する固定局でよい。基地局１０４は、アクセスポイント、ノードＢ、またはその他の用語を択一的に指してよい。
【００１０】
図１は、システム１００の全体に分散した様々なユーザ端末１０６を示す。これらユーザ端末１０６は固定(すなわち、静止)やモバイルでよい。これらユーザ端末１０６は、遠隔局、アクセス端末、端末、加入者ユニット、移動局、局、ユーザ機器などを択一的に指してよい。ユーザ端末１０６は、携帯電話、携帯情報端末(ＰＤＡ)、ハンドヘルド装置、無線通信モデム、ラップトップコンピュータ、パソコンなどのような無線装置でよい。様々なアルゴリズムおよび方法が、複数の基地局１０４と複数のユーザ端末１０６との間の無線通信システム１００での伝送に使用されてよい。
【００１１】
基地局１０４からユーザ端末１０６への伝送に役立つ通信リンクは、ダウンリンク１０８を指してよい。また、ユーザ端末１０６から基地局１０４への伝送に役立つ通信リンクは、アップリンク１１０を指してよい。代わって、ダウンリンク１０８は順方向リンク(forward link)または順方向チャネル(forward channel)を指してよく、アップリンク１１０は逆方向リンク(reverse link)または逆方向チャネル(reverse channel)を指してよい。
【００１２】
本明細書中では、次の頭文字が使用され得る。
【００１３】
ＡＡＡ＝認証、認可およびアカウンティング[authentication, authorization, and accounting]
ＡＡＧ＝アクセス・アグノスチック・ゲートウェイ[access agnostic gateway](アクセスゲートウェイ、すなわちＡＧＷを指してもよい)
ＡＴ＝アクセス端末[access terminal]
ＢＡ＝バインド承認[binding acknowledgment]
ＢＳ＝基地局[base station]
ＢＵ＝バインド更新[binding update]
ＣＣｏＡ＝コロケーション気付アドレス[co-located care-of address]
ＣＭＩＰ＝クライアントベースモバイルＩＰ[client-based mobile IP] 
ＣｏＡ＝気付アドレス[care-of address]
ＤＨＣＰ＝動的ホスト構成プロトコル[dynamic host configuration protocol]
ｅＢＳ＝エボルブド基地局[evolved base station]
ＦＡ＝フォーリンエージェント[foreign agent]
ＧＲＥ＝総称ルーティングカプセル化[generic routing encapsulation]
ＨＡ＝ホームエージェント[home agent]
ＨＡＡＡ＝ホームＡＡＡ[home AAA]
ＨｏＡ＝ホームアドレス[home address]
ＩＫＥ＝インターネット鍵交換[Internet key exchange]
ＩＰ＝インターネットプロトコル[Internet protocol]
ＩＰｓｅｃ＝ＩＰセキュリティ[IP security]
ＩＰｖ４＝インターネット・プロトコル・バージョン４[Internet protocol version 4]
ＩＰｖ６=インターネット・プロトコル・バージョン[Internet protocol version 6]
ＬＭＨＡ＝ローカル・モビリティ・ホームエージェント[local mobility home agent]
ＭＩＰ＝モバイルＩＰ[mobile IP]
ＭＩＰｖ４＝ＩＰｖ４のためのモバイルＩＰ[mobile IP for IPv4]
ＭＩＰｖ６＝ＩＰｖ６のためのモバイルＩＰ[mobile IP for IPv6]
ＭＮ＝モバイルノード[mobile node]
ＭＳ＝移動局[mobile station]
ＰＤＳＮ＝パケット・データ・サービングノード[packet data serving node]
ＰＭＩＰ＝プロキシモバイルＩＰ[proxy mobile IP]
ＲＲＰ＝登録応答[registration reply]
ＲＲＱ＝登録要求[registration request]
Ｓ−eＢＳ=ソースｅＢＳ[source eBS]
Ｔ−ｅＢＳ＝ターゲットｅＢＳ[target eBS]
ＶＡＡＡ＝ビジテッドＡＡＡ[visited AAA]
モバイルＩＰは、モバイル装置ユーザが永久ＩＰアドレスを維持したままであるネットワークから別のネットワークへ移動することを許そうとするインターネット技術標準化策定委員会(ＩＥＴＦ)の標準通信プロトコルである。モバイルＩＰを使用すると、複数のノードがそれらのＩＰアドレスを変更せずにインターネットへの接続ポイントを変更し得る。これは、それらが移動中にトランスポートおよび上位層接続を維持することを可能にする。
【００１４】
モバイルＩＰは各モバイルノード(ＭＮ)のために２つのアドレスを定義する。第１のアドレスはホームアドレス(ＨｏＡ)であって、これはホームネットワークによってＭＮに発行されるアドレスである。ＨｏＡはＩＰネットワークに対してＭＮを識別するものと見なせる。第２のアドレスは気付アドレス(ＣｏＡ)であって、これは訪れたネットワークによってＭＮに割り当てられる一時的なＩＰアドレスである。このＩＰアドレスは、ＭＮの現在の論理位置に関する情報を提供するものと見なせる。
【００１５】
モバイルＩＰは２つのモビリティエージェント、すなわちホームエージェント(ＨＡ)およびフォーリンエージェント(ＦＡ)を使用する。ＨＡはホームネットワークに位置し、ＦＡは訪れたネットワークに位置する。ＦＡはＭＮと一緒に位置してよい。これは、コロケーションＦＡを指す。
【００１６】
ＭＮがホームネットワークから訪れたネットワークに移転するとき常に、この移動が位置発見プロトコルを使用して検知されてよい。モビリティエージェントは、ＭＮによる発見を可能にするために存在を広告してよい。訪れたネットワーク内において一度、ＭＮが新規アドレスを得て、新規ＦＡのアドレスについて通知する更新メッセージをＨＡに送ってよい。この更新登録はコロケーション気付アドレス(ＣＣｏＡ)のためにＭＮによって直接行われたり、訪れたサブネットＦＡアドレスがＣｏＡとして使用される場合にＦＡによって中継されたりしてよい。
【００１７】
一旦ＨＡが新規ＣｏＡで更新されれば、ホームネットワークにおいてＭＮへ到達するはずのパケットはトンネリングプロトコルでカプセル化することにより適切なＦＡ ＣｏＡへ転送されてよい。ＩＰ内ＩＰのカプセル化はこのトンネリングに使用されてよい。代わって、最小カプセル化(minimal encapsulation)または総称ルーチンカプセル化(ＧＲＥ:generic routing encapsulation)のトンネリングが使用されてよい。ＦＡはしてもよい、カプセルに包まれた、パケット、またＭＮ向けのパケットのためのアンカーポイントとしてＨＡを働かせることによって、モバイルＩＰは、ＭＮへのパケットの配達をその位置にかかわらずに容易にする。
【００１８】
モバイルＩＰを実現するため、モバイルＩＰクライアントまたはＭＮの機能が、すべてのＡＴに設けられてよい。これは、時としてクライアントベースモバイルＩＰ(ＣＭＩＰ)を指す。しかしながら、ＣＭＩＰはいくつかの状況の下で実現可能でないかもしれない。この問題を扱う１つの方法は、ＡＴ内のモバイルＩＰクライアント機能へのプロキシとして働くネットワークにノードを持つことである。このスキームはプロキシモバイルＩＰ(ＰＭＩＰ)を指してよい。プロキシとして働くネットワークノードはＭＮを代表して登録および他のＭＩＰシグナリングを行なってもよい。ＣＭＩＰの場合のように、プロキシとして働くネットワークノードはコロケーションＦＡ機能を含んでもよいし、あるいは外部ＦＡエンティティで働いてもよい。
【００１９】
ＰＭＩＰは、アクセス端末(ＡＴ)が、ＡＴの観点でＣｏＡ/ＣＣｏＡを変更せずに、１つの基地局(ＢＳ)またはパケット・データ・サービングノード(ＰＤＳＮ)から他のＢＳまたはＰＤＳＮに他のＢＳあるいはノード(ＰＤＳＮ)に移動する場合に使用されてよい。ＰＭＩＰが使用されると、ＡＴが空中にＣＭＩＰ ＲＲＱ／ＲＲＰ(ＢＵ／ＢＡ)を送出する必要はない。ローカル・モビリティ・ホームエージェント(ＬＭＨＡ)を指すエンティティは、ＰＭＩＰオペレーション用に導入されてよい。
【００２０】
ＭＩＰｖ６およびＭＩＰｖ４ ＣＣｏＡのためのＰＭＩＰ相互作用はクリーンである。ＣＭＩＰおよびＰＭＩＰ間の個別バインディンクがある。特に、ＨｏＡおよびＣＣｏＡ間のバインディングがある。また、ＣＣｏＡおよびｅＢＳ／ＰＤＳＮのＩＰアドレス間のバインディングがある。
【００２１】
しかしながら、ＭＩＰｖ４ ＦＡ ＣｏＡモード用のＰＭＩＰ相互作用は、ＦＡ ＣｏＡが全ＡＴに対して同じであるのでチャレンジでよい。本明細書はモバイルＩＰ ＦＡ ＣｏＡモードにおいてＰＭＩＰを実現するための技術に係る。
【００２２】
モバイルＩＰフォーリンエージェント気付アドレスモードにおいてプロキシ・モバイル・インターネット・プロトコル(ＰＭＩＰ)を実現する方法が開示される。この
方法は、アクセス端末内のモバイルＩＰクライアント機能用のプロキシであるネットワークノードによって行われてよい。この方法は、アクセス端末のホームアドレスを検出することを含んでよい。この方法は、アクセス端末のホームアドレスをネットワークノードのアドレスにバインドして、ネットワークノードおよびホームエージェント間にトンネルを確立するためにさらにホームエージェントとの通信を含んでよい。この方法は、トンネルを介して、ホームエージェントからアクセス端末に向けられた複数の第１パケットを受け取って、これら第１パケットをアクセス端末に送ることをさらに含んでよい。この方法はアクセス端末によって対応ノードに向けて送られた複数の第２パケットを受け取り、このトンネルを介してホームエージェントへこれら第２パケットを送ることをさらに含んでよい。
【００２３】
モバイルＩＰフォーリンエージェント気付アドレスモードにおいてプロキシ・モバイル・インターネット・プロトコル(ＰＭＩＰ)を実現するネットワークノードも開示される。ネットワークノードは、プロセッサ、このプロセッサと電子通信するメモリ、およびこのメモリに格納された複数の指示を含む。これら命令はアクセス端末のホームアドレスを検出するように実行可能でよい。これら命令はネットワークノードのアドレスにアクセス端末のホームアドレスをバインドし、ネットワークノードおよびホームエージェント間にトンネルを確立するためにホームエージェントと通信させるように実行可能でもよい。これら命令は、トンネルを介してホームエージェントからアクセス端末に向けた複数の第１パケットを受け取って、これら第１パケットをアクセス端末へ送るように実行可能であってもよい。これら命令はアクセス端末によって送られ対応ノードに向けられた複数の第２パケットを受け取って、トンネルを介してホームエージェントへこれら第２パケットを送るように実行可能であってもよい。
【００２４】
モバイルＩＰフォーリンエージェント気付アドレスモードでプロキシ・モバイル・インターネット・プロトコル(ＰＭＩＰ)を実現する装置も開示される。この装置はアクセス端末のホームアドレスを検出するための手段を含んでよい。この装置はネットワークノードのアドレスにアクセス端末のホームアドレスをバインドして、ネットワークノードおよびホームエージェント間にトンネルを確立するためにホームエージェントと通信するための手段を含んでもよい。この装置はトンネルを介してホームエージェントからアクセス端末に向けられた複数の第１パケットを受信し、これら第１パケットをアクセス端末へ送るための手段を含んでもよい。この装置は、アクセス端末によって送られ対応ノードに向けられた複数の第２パケットを受信し、トンネルを介してホームエージェントへこれら第２パケットを送るための手段を含んでもよい。
【００２５】
モバイルＩＰフォーリンエージェント気付アドレスモードにおいてプロキシ・モバイル・インターネット・プロトコル(ＰＭＩＰ)を実現するコンピュータプログラム製品も開示される。このコンピュータプログラム製品は、複数の命令をその上に保持するコンピュータ可読媒体を含む。これら命令はアクセス端末のホームアドレスを検出するコードを含んでよい。これら命令は、ネットワークノードのアドレスにアクセス端末のホームアドレスをバインドして、ネットワークノードおよびホームエージェント間にトンネルを確立するためにホームエージェントと通信するためのコードを含んでもよい。これら命令は、トンネルを介してホームエージェントからアクセス端末に向けられた複数の第１パケットを受信し、アクセス端末へこれら第１パケットを送るためのコードを含んでもよい。これら命令は、対応ノードに向けられた複数の第２パケットを受け取って、トンネルを介してホームエージェントへこれら第２パケットを送るためのコードを含んでもよい。
【００２６】
図２はモバイルＩＰ ＦＡ ＣｏＡモードにおいてＰＭＩＰを実現するためのシステム２００を示す。このシステム２００はＡＴ ２１６、およびＡＴ ２１６内のモバイルＩＰクライアント機能用のプロキシであるネットワークノード２１４を含む。ネットワークノード２１４は、基地局(ＢＳ)、エボルブド基地局(ｅＢＳ)、パケット・データ・サービングノード(ＰＤＳＮ)、アクセスゲートウェイ(ＡＧＷ)、アクセス・アグノスチック・ゲートウェイ(ＡＡＧ)、ローカル・モビリティ・ホームエージェント(ＬＭＨＡ)などである。
【００２７】
ネットワークノード２１４はＡＴ ２１６のＨｏＡ ２０６を検出するように構成されてよい。これを行なう様々な方法がある。例えば、ネットワークノード２１４が認証中に認証、認可およびアカウンティング(ＡＡＡ)コンポーネントからＡＴ ２１６のＨｏＡ ２０６を受け取ってよい。他の例として、ネットワークノード２１４がホームエージェント２０２からＡＴ ２１６のＨｏＡ ２０６を受け取ってよい。他の例として、ネットワークノード２１４がホームエージェント２０２から送られる登録応答メッセージを探索(snoop)してよい。他の例として、ネットワークノード２１４がＡＴ ２１６のＨｏＡ ２０６をそれ自体のＡＴ ２１６から受け取ってよい。
【００２８】
一旦ネットワークノード２１４がＡＴ ２１６のＨｏＡ ２０６を検出すると、ネットワークノード２１４はネットワークノード２１４のＩＰアドレス２０４にＡＴ ２１６のＨｏＡ ２０６をバインドするためにホームエージェント２０２と通信してよい。ネットワークノード２１４およびホームエージェント２０２間には、トンネル２１２が確立されてよい。
【００２９】
一旦トンネル２１２が確立すると、ホームエージェント２０２がＡＴ ２１６に向けられた複数のパケット２１０を受け取る場合に、ホームエージェント２０２がトンネル２１２を介してネットワークノード２１４にパケット２１０を送ってよい。ネットワークノード２１４がＡＴ ２１６からＣＮ ２１８に向けられた複数のパケット２０８を受け取る場合に、ネットワークノード２１４がトンネル２１２を介してホームエージェント２０２にパケット２０８を送ってよい。
【００３０】
図３はモバイルＩＰ ＦＡ ＣｏＡモードにおいてＰＭＩＰを実現する方法３００を示す。この方法３００はＡＴ ２１６内のモバイルＩＰクライアント機能用のプロキシであるネットワークノード２１４によって行われてよい。
【００３１】
ネットワークノード２１４はＡＴ ２１６のＨｏＡ ２０６を検出３０２してよい。
【００３２】
一旦、ネットワークノード２１４がＡＴ ２１６のＨｏＡ ２０６を３０２で検出すると、ネットワークノード２１４はネットワークノード２１４のＩＰアドレス２０４をＡＴ ２１６のＨｏＡ ２０６に３０４でバインドして、ネットワークノード２１４およびホームエージェント２０２間にトンネル２１２を３０６で確立するためにホームエージェント２０２と通信してよい。
【００３３】
一旦トンネル２１２が確立すると、ホームエージェント２０２がＡＴ ２１６に向けられた複数のパケット２１０を３０８で受け取る場合に、ホームエージェント２０２がトンネル２１２を介してネットワークノード２１４へパケット２１０を３１０で送ってよい。ネットワークノード２１４がＡＴ ２１６からＣＮ ２１８に向けられた複数のパケット２０８を３１２で受け取る場合、ネットワークノード２１４がトンネル２１２を介してホームエージェント２０２へこれらパケット２０８を３１４で送ってよい。
【００３４】
上に記述した図３の方法３００は、様々なハードウェア、ソフトウェアコンポーネント(s)および(または)機能付手段ブロック４００に対応するモジュール(s)によって行われてよい。言いかえれば、図３に示すブロック３０２〜３１４が図４に示す機能付ブロック４０２〜４１４に対応する。
【００３５】
図５は、モバイルＩＰ ＦＡ ＣｏＡモードにおいてＰＭＩＰを実現する別の方法５００を示す。この方法５００はＡＴ ５０２、ソースe-ＢＳ／ＰＤＳＮ(Ｓ−ｅＢＳ／ＰＤＳＮ)５０４、ターゲットｅＢＳ／ＰＤＳＮ(Ｔ−ｅＢＳ／ＰＤＳＮ)５０６、ＬＭＨＡ／ＡＡＧ ５０８、ＶＡＡＡ／ＨＡＡＡ ５１０およびＭＩＰｖ４ ＨＡ ５１２を含む。Ｓ−ｅＢＳ／ＰＤＳＮ ５０４およびＴ−ｅＢＳ／ＰＤＳＮ ５０６は、ＡＴ ５０２内のモバイルＩＰクライアント機能用のプロキシである。
【００３６】
接続およびセッションの確立５１４は、ＡＴ ５０２およびＳ−ｅＢＳ／ＰＤＳＮ ５０４間で生じてよい。成功裏のアクセス認証５１６は、ＡＴ ５０２およびＳ−ｅＢＳ／ＰＤＳＮ ５０４間で生じてよい。これは、ＶＡＡＡ／ＨＡＡＡ ５１０にアクセス要求メッセージ５１８を送るＳ−ｅＢＳ／ＰＤＳＮ ５０４、およびアクセス承認メッセージ５２０をＳ−ｅＢＳ／ＰＤＳＮ ５０４へ送るＶＡＡＡ／ＨＡＡＡ ５１０を含んでよい。アクセス承認メッセージ５２０は、ＡＴ ５０２のＨｏＡを含んでよい。
【００３７】
従って、Ｓ−ｅＢＳ／ＰＤＳＮ ５０４は、これを認証中にＶＡＡＡ／ＨＡＡＡ ５１０から受け取ることにより、ＡＴ ５０２のＨｏＡを検出してよい。
【００３８】
ＡＴ ５０２およびＳ−ｅＢＳ／ＰＤＳＮ ５０４は５２２でセッションキーを生成し交換してよい。Ｓ−ｅＢＳ／ＰＤＳＮ ５０４およびＬＭＨＡ／ＡＡＧ ５０８は、Ｓ−ｅＢＳ／ＰＤＳＮ ５０４のＩＰアドレスをＡＴ ５０２のＨｏＡに５２４でバインドするためにＭＩＰｖ４ ＲＲＱ／ＲＲＰを介して通信してよい。
【００３９】
ＡＴ ５０２はＳ−ｅＢＳ／ＰＤＳＮ ５０４にＤＨＣＰ要求を５２６で送ってよい。Ｓ−ｅＢＳ／ＰＤＳＮ ５０４はＡＴ ５０２にＤＨＣＰ応答に５２８を送ってもよい。ＤＨＣＰ応答５２８は、ＡＴ ５０２のＨｏＡを含んでよい。Ｓ−ｅＢＳ／ＰＤＳＮ ５０４はＡＡＧ ５０８によってサーブ(serve)される全ＡＴについてＦＡ ＣｏＡを５３０で取得してよい。
【００４０】
Ｓ−ｅＢＳ／ＰＤＳＮ ５０４はＡＴ ５０２へエージェント広告メッセージを５３２で送ってよい。エージェント広告メッセージ５３２のソースアドレスはＬＭＨＡ ５０８であってよい。
【００４１】
ＡＴ ５０２は、ＨｏＡをＣｏＡにバインドする登録要求５３６を送ってよい。登録要求５３６の宛先ＩＰアドレスはＬＭＨＡ ５０８であってよい。登録要求５３６はＡＴ ５０２からＳ−ｅＢＳ／ＰＤＳＮ ５０４へ送られてよい。Ｓ−ｅＢＳ／ＰＤＳＮ ５０４はこの後トンネル５３４を介して登録要求５３６をＬＭＨＡ／ＡＡＧ ５０８へ送ってよい。
【００４２】
ＬＭＨＡ／ＡＡＧ ５０８はＶＡＡＡ／ＨＡＡＡ ５１０へRADIUS/Diameterメッセージ５３８を送ってよい。ＶＡＡＡ／ＨＡＡＡ ５１０はＬＭＨＡ／ＡＡＧ ５０８へRADIUS/Diameterメッセージ５４０を送ってよい。ＩＫＥ／ＩＰｓｅｃの保安連携確立５４２は、ＬＭＨＡ／ＡＡＧ ５０８およびＭＩＰｖ４ ＨＡ ５１２間に生じてよい。
【００４３】
ＬＭＨＡ／ＡＡＧ ５０８はＭＩＰｖ４ ＨＡ ５１２へ登録要求メッセージ５４４を送ってよい。ＭＩＰｖ４ ＨＡ ５１２はＶＡＡＡ／ＨＡＡＡ ５１０へRADIUS/Diameterメッセージ５４６を送ってよい。ＶＡＡＡ／ＨＡＡＡ ５１０はＭＩＰｖ４ ＨＡ ５１２へRADIUS/Diameterメッセージ５４８を送ってよい。
【００４４】
ＭＩＰｖ４ ＨＡ ５１２はＬＭＨＡ／ＡＡＧ ５０８へ登録応答メッセージに５５０を送ってよい。ＬＭＨＡ／ＡＡＧ ５０８はトンネル５５２を介してＳ−ｅＢＳ／ＰＤＳＮ ５０４へ登録応答メッセージに５５０を送ってよい。Ｓ−ｅＢＳ／ＰＤＳＮ ５０４はこの後ＡＴ ５０２へ登録応答メッセージに５５０を送ってよい。
【００４５】
ＩＰｖ４パケット５５６は、ＭＩＰｖ４トンネル５５８を介してＭＩＰｖ４ ＨＡ ５１２およびＬＭＨＡ／ＡＡＧ ５０８間で送られてよい。ＩＰｖ４パケット５５６は、別のＭＩＰｖ４トンネル５６０を介してＬＭＨＡ／ＡＡＧ ５０８およびＳ−ｅＢＳ／ＰＤＳＮ ５０４間で送られてよい。
【００４６】
ＭＩＰｖ４ ＨＡ ５１２がＡＴ ５０２のＨｏＡに向けられた複数のパケットを受け取る場合、ＭＩＰｖ４ ＨＡ ５１２がトンネル５５８を介してＬＭＨＡ／ＡＡＧ ５０８へこれらパケットを送ってよい。ＬＭＨＡ／ＡＡＧ ５０８はこの後トンネル５６０を介してＳ−ｅＢＳ／ＰＤＳＮ ５０４へこれらパケットを送ってよい。Ｓ−ｅＢＳ／ＰＤＳＮ ５０４はこの後ＡＴ ５０２へこれらパケットを送ってよい。
【００４７】
Ｓ−ｅＢＳ／ＰＤＳＮ ５０４がＡＴ ５０２からＣＮ(図示しない)に向けられた複数のパケットを受け取る場合、Ｓ−ｅＢＳ／ＰＤＳＮ ５０４がトンネル５６０を介してＬＭＨＡ／ＡＡＧ ５０８へこれらパケットを送ってよい。ＬＭＨＡ／ＡＡＧ ５０８はトンネル５５８を介してＭＩＰｖ４ ＨＡ ５１２にこれらパケットを送ってよい。ＭＩＰｖ４ ＨＡ ５１２はこれらパケットをＣＮへ送ってよい。
【００４８】
あるポイントでは、ＡＴ ５０２のハンドオフ５６２がＳ−ｅＢＳ／ＰＤＳＮ ５０４からＴ−ｅＢＳ／ＰＤＳＮ ５０６へ生じてよい。これは、Ｓ−ｅＢＳ／ＰＤＳＮ ５０４およびＴ−ｅＢＳ／ＰＤＳＮ ５０６間でのコンテキスト転送５６４を含んでよい。コンテキスト転送５６４の一部として、Ｓ−ｅＢＳ／ＰＤＳＮ ５０４がＡＴ ５０２のＨｏＡについてＴ−ｅＢＳ／ＰＤＳＮ ５０６へ通知してよい。
【００４９】
Ｔ−ｅＢＳ／ＰＤＳＮ ５０６およびＬＭＨＡ／ＡＡＧ ５０８は、Ｔ−ｅＢＳ／ＰＤＳＮ ５０６のＩＰアドレスをＡＴ ５０２のＨｏＡに５６６でバインドするためにＭＩＰｖ４ ＲＲＱ／ＲＲＰを介して通信してよい。ＩＰｖ４パケット５６８は、ＭＩＰｖ４トンネル５７０を介してＭＩＰｖ４ ＨＡ ５１２およびＬＭＨＡ／ＡＡＧ ５０８間で送られてよい。ＩＰｖ４パケット５６８は、ＭＩＰｖ４トンネル５７２を介してＬＭＨＡ／ＡＡＧ ５０８およびＴ−ｅＢＳ／ＰＤＳＮ ５０６間で送られてよい。
【００５０】
図６は、逆方向リンク(reverse link)６１２上でＭＳ／ＡＴ ６０２からＣＮ ６１０へ移動するパケットおよび順方向リンク(forward link)６２０上でＣＮ ６１０からＭＳ／ＡＴ ６０２へ移動するパケットとしてパケットヘッダを示す例を示す。ＭＳ／ＡＴ ６０２、ｅＢＳ／ＰＤＳＮ ６０４、ＬＭＨＡ／ＡＡＧ ６０６、ＨＡ ６０８およびＣＮ ６１０が示される。ＬＭＨＡ／ＡＡＧ ６０６では、ｅＢＳ／ＰＤＳＮ ６０４のＩＰアドレスおよびＭＳ／ＡＴ ６０２のＨｏＡ間のバインドがある。ＨＡ ６０８では、ＣｏＡおよびＭＳ／ＡＴ ６０２のＨｏＡ間のバインドがある。
【００５１】
逆方向リンク６１２上のＦＡ ＣｏＡが最初に論じられる。ＭＳ／ＡＴ ６０２は１つのパケット６１４をｅＢＳ／ＰＤＳＮ ６０４へ送る。このパケット６１４のソースアドレスはＭＳ／ＡＴ ６０２のＨｏＡである。このパケット６１４の宛先アドレスはＣＮ ６１０のＩＰアドレスである。
【００５２】
ｅＢＳ／ＰＤＳＮ ６０４はこの後１つのパケット６１６をＬＭＨＡ／ＡＡＧ ６０６へ送る。このパケット６１６は、ＭＳ／ＡＴ ６０２からｅＢＳ／ＰＤＳＮ ６０４に送られたオリジナルパケット６１４を含む。パケット６１６のソースアドレスはｅＢＳ／ＰＤＳＮ ６０４のＩＰアドレスである。パケット６１６の宛先アドレスはＬＭＨＡ／ＡＡＧ ６０６のＩＰアドレスである。
【００５３】
ＭＨＡ／ＡＡＧ ６０６はこの後ＨＡ ６０８へこのパケット６１８を送る。パケット６１８は、ＭＳ／ＡＴ ６０２からｅＢＳ／ＰＤＳＮ ６０４に送られたオリジナルパケット６１４を含む。パケット６１８のソースアドレスはＭＳ／ＡＴ ６０２のＣｏＡである。パケット６１８の宛先アドレスはＨＡ ６０８のＩＰアドレスである。ＨＡ ６０８はこの後ＣＮ ６１０へオリジナルパケット６１４を送る。
【００５４】
順方向リンク６２０上のＦＡ ＣｏＡが次に論じられる。ＣＮ ６１０は１つのパケット６２２をＨＡ ６０８へ送る。パケット６２２のソースアドレスはＣＮ ６１０のＩＰアドレスである。パケット６２２の宛先アドレスはＭＳ／ＡＴ ６０２のＨｏＡである。
【００５５】
ＨＡ ６０８は１つのパケット６２４をＬＭＨＡ／ＡＡＧ ６０６へ送る。このパケット６２４はＣＮ ６１０からＨＡ ６０８へ送られたオリジナルパケット６２２を含む。パケット６２４のソースアドレスはＨＡ ６０８のＩＰアドレスである。パケット６２４の宛先アドレスはＭＳ／ＡＴ ６０２のＣｏＡである。
【００５６】
ＬＭＨＡ／ＡＡＧ ６０６はこの後１つのパケット６２６をｅＢＳ／ＰＤＳＮ ６０４へ送る。このパケット６２６は、ＣＮ ６１０からＨＡ ６０８へ送られたオリジナルパケット６２２を含む。パケット６２６のソースアドレスはＬＭＨＡ／ＡＡＧ ６０６のＩＰアドレスである。パケット６２６の宛先アドレスはｅＢＳ／ＰＤＳＮ ６０４のＩＰアドレスである。ｅＢＳ／ＰＤＳＮ ６０４はこの後オリジナルパケット６２２をＭＳ／ＡＴ ６０２へ送る。
【００５７】
図７は、モバイルＩＰ ＦＡ ＣｏＡモードにおいてＰＭＩＰを実現する別の方法７００を示す。この方法７００はＡＴ ７０２、ｅＢＳ／ＰＤＳＮ ７０４、ＬＭＨＡ／ＡＡＧ ７０６、ＨＡＡＡ ７０８およびＭＩＰｖ４ ＨＡ ７１０を含む。ｅＢＳ／ＰＤＳＮ ７０４はＡＴ ７０２内のモバイルＩＰクライアント機能用のプロキシである。
【００５８】
接続およびセッションの確立７１２がＡＴ ７０２およびｅＢＳ／ＰＤＳＮ ７０４間に生じてよい。成功裏のアクセス認証７１４はＡＴ ７０２およびｅＢＳ／ＰＤＳＮ ７０４間に生じてよい。成功裏のアクセス認証７１６はｅＢＳ／ＰＤＳＮ ７０４およびＨＡＡＡ ７０８間に生じてもよい。ＡＴ ７０２およびｅＢＳ／ＰＤＳＮ ７０４は７１８でセッションキーを生成し交換してよい。
【００５９】
ＡＴ ７０２およびｅＢＳ／ＰＤＳＮ ７０４間のサービス認証７２０は打ち切られてよい。加えて、ｅＢＳ／ＰＤＳＮ ７０４およびＨＡＡＡ ７０８に関するサービス認証７２２は打ち切られてよい。ＨＡＡＡ ７０８はサービス認証を打ち切って、ＭＩＰｖ４認証が代わりに行われるはずであることを表示(indicate)してよい。
【００６０】
ｅＢＳ／ＰＤＳＮ ７０４はＬＭＨＡ ７０６サブネット上での利用に適したＡＴ ７０２についてＦＡ ＣｏＡを７２４で取得してよい。これはＤＨＣＰｖ４サーバから取得してよい。
【００６１】
ｅＢＳ／ＰＤＳＮ ７０４はエージェント広告メッセージ７２６をＡＴ ７０２へ送ってよい。エージェント広告メッセージ７２６のソースアドレスはｅＢＳ／ＰＤＳＮ ７０４であってよい。
【００６２】
ＡＴ ７０２は登録要求メッセージ７２８をｅＢＳ／ＰＤＳＮ ７０４へ送ってよい。登録要求メッセージ７２８の宛先アドレスはｅＢＳ／ＰＤＳＮ ７０４であってよい。
【００６３】
ｅＢＳ／ＰＤＳＮ ７０４はRADIUSアクセス要求メッセージに７３０をＨＡＡＡ ７０８へ送ってよい。ＨＡＡＡ ７０８はRADIUSアクセス承認メッセージに７３２をｅＢＳ／ＰＤＳＮ ７０４へ送ってよい。
【００６４】
ｅＢＳ／ＰＤＳＮ ７０４はＭＩＰｖ４ ＨＡ ７１０に登録要求メッセージに７３６を送ってもよい。ＭＩＰｖ４ ＨＡ ７１０はRADIUSアクセス要求メッセージ７３８をＨＡＡＡ ７０８へ送ってよい。ＨＡＡＡ ７０８はRADIUSアクセス承認メッセージ７４０をＭＩＰｖ４ ＨＡ ７１０へ送る。ＭＩＰｖ４ ＨＡ ７１０はこの後登録応答メッセージ７４２をｅＢＳ／ＰＤＳＮ ７０４へ送ってよい。登録応答メッセージ７４２はＡＴ ７０２のＨｏＡを含んでよい。従って、ｅＢＳ／ＰＤＳＮ ７０４はこれをＭＩＰｖ４ ＨＡ ７１０から受け取ることによりＡＴ ７０２のＨｏＡを検出してよい。
【００６５】
ｅＢＳ／ＰＤＳＮ ７０４およびＬＭＨＡ／ＡＡＧ ７０６は、ｅＢＳ／ＰＤＳＮ ７０４のＩＰアドレスをＡＴ ７０２のＨｏＡと７４４でバインドするためにＭＩＰｖ４ ＲＲＱ／ＲＲＰを介して通信してよい。より具体的には、ＡＴ ７０２のＦＡ ＩＰｖ４アドレス(これはＨｏＡである)はｅＢＳ／ＰＤＳＮ ７０４のＩＰｖ４アドレス(これはＣｏＡである)にバインドされてよい。
【００６６】
ｅＢＳ／ＰＤＳＮ ７０４は登録応答７４６をＡＴ ７０２へ送ってよい。ｅＢＳ／ＰＤＳＮ ７０４はRADIUS課金要求７４８をＨＡＡＡ ７０８へ送ってよい。ＨＡＡＡ ７０８はRADIUS課金応答７５０をｅＢＳ／ＰＤＳＮ ７０４へ送ってよい。
【００６７】
ＩＰｖ４パケット７５２はＭＩＰｖ４の双方向トンネル７５６を介してＭＩＰｖ４ ＨＡ ７１０およびＬＭＨＡ／ＡＡＧ ７０６間で送られてよい。ＩＰｖ４パケット７５２はＰＭＩＰトンネル７５４を介してＬＭＨＡ／ＡＡＧ ７０６およびｅＢＳ／ＰＤＳＮ ７０４間で送られてよい。
【００６８】
ＭＩＰｖ４ ＨＡ ７１０がＡＴ ７０２のＨｏＡに向けられた複数のパケットを受け取る場合、ＭＩＰｖ４ ＨＡ ７１０はＭＩＰｖ４双方向トンネル７５６を介してＬＭＨＡ／ＡＡＧ ７０６へこれらパケットを送ってよい。ＬＭＨＡ／ＡＡＧ ７０６はこの後ＰＭＩＰトンネル７５４を介してｅＢＳ／ＰＤＳＮ ７０４へこれらパケットを送ってよい。ｅＢＳ／ＰＤＳＮ ７０４はこの後ＡＴ ７０２へこれらパケットを送ってよい。
【００６９】
ｅＢＳ／ＰＤＳＮ ７０４がＡＴ ７０２からＣＮ(図示しない) に向けられたパケットを受け取る場合、ｅＢＳ／ＰＤＳＮ ７０４はＰＭＩＰトンネル７５４を介してＬＭＨＡ／ＡＡＧ ７０６へこれらパケットを送ってよい。ＬＭＨＡ／ＡＡＧ ７０６はこの後ＭＩＰｖ４トンネル７５６を介してＭＩＰｖ４ ＨＡ ７１０へこれらパケットを送ってよい。ＭＩＰｖ４ ＨＡ ７１０はこの後これらパケットをＣＮへ送ってよい。
【００７０】
図８は、モバイルＩＰ ＦＡ ＣｏＡモードにおいてＰＭＩＰを実現する別の方法８００を示す。この方法８００はＡＴ ８０２、Ｓ−ｅＢＳ／ＰＤＳＮ ８０４、Ｔ−ｅＢＳ／ＰＤＳＮ ８０６、ＬＭＨＡ／ＡＡＧ ８０８、ＨＡＡＡ ８１０およびＭＩＰｖ４ ＨＡ ８１２を含む。Ｓ−ｅＢＳ／ＰＤＳＮ ８０４およびＴ−ｅＢＳ／ＰＤＳＮ ８０６はＡＴ ８０２内のモバイルＩＰクライアント機能用のプロキシである。
【００７１】
接続およびセッションの確立８１４がＡＴ ８０２およびＳ−ｅＢＳ／ＰＤＳＮ ８０４間に生じてもよい。成功裏のアクセス認証８１６がＡＴ ８０２およびＳ−ｅＢＳ／ＰＤＳＮ ８０４間に生じてよい。これは、ＨＡＡＡ ８１０へアクセス要求メッセージ８１８を送るＳ−ｅＢＳ／ＰＤＳＮ ８０４、およびアクセス承認メッセージ８２０をＳ−ｅＢＳ／ＰＤＳＮ ８０４に送るＨＡＡＡ ８１０を含んでよい。
【００７２】
ＡＴ ８０２およびＳ−ｅＢＳ／ＰＤＳＮ ８０４はセッションキー(s)を８２２で生成し交換してよい。Ｓ−ｅＢＳ／ＰＤＳＮ ８０４はＡＡＧ ８０８によってサーブされる全ＡＴについてＦＡ ＣｏＡ８２４を取得してよい。
【００７３】
Ｓ−ｅＢＳ／ＰＤＳＮ ８０４はエージェント広告メッセージ８２６をＡＴ ８０２へ送ってよい。エージェント広告メッセージ８２６のソースアドレスはＬＭＨＡ ８０８であってよい。ＡＴ ８０２は登録要求メッセージ８２８をＳ−ｅＢＳ／ＰＤＳＮ ８０４へ送ってよい。登録要求メッセージ８２８の宛先アドレスはＬＭＨＡ ８０８であってよい。Ｓ−ｅＢＳ／ＰＤＳＮ ８０４はトンネル８３０を介してＬＭＨＡ／ＡＡＧ ８０８へ登録要求メッセージ８２８を送ってよい。
【００７４】
ＬＭＨＡ／ＡＡＧ ８０８はRADIUS/Diameterメッセージ８３２をＨＡＡＡ ８１０へ送ってよい。ＨＡＡＡ ８１０はRADIUS/Diameterメッセージ８３４をＬＭＨＡ／ＡＡＧ ８０８へ送ってよい。ＩＫＥ／ＩＰｓｅｃの保安連携確立８３６がＬＭＨＡ／ＡＡＧ ８０８およびＭＩＰｖ４ ＨＡ ８１２間で生じてよい。
【００７５】
ＬＭＨＡ／ＡＡＧ ８０８は登録要求８３８をＭＩＰｖ４ ＨＡ ８１２へ送ってよい。ＭＩＰｖ４ ＨＡ ８１２はRADIUS/Diameterメッセージ８４０をＨＡＡＡ ８１０へ送ってよい。ＨＡＡＡ ８１０はRADIUS/Diameterメッセージ８４２をＭＩＰｖ４ ＨＡ ８１２へ送ってよい。
【００７６】
ＭＩＰｖ４ ＨＡ ８１２は登録応答メッセージ８４４をＬＭＨＡ／ＡＡＧ ８０８へ送ってよい。ＬＭＨＡ／ＡＡＧ ８０８はトンネル８４６を介してＳ−ｅＢＳ／ＰＤＳＮ ８０４へ登録応答メッセージ８４４を送ってよい。Ｓ−ｅＢＳ／ＰＤＳＮ ８０４は登録応答メッセージ８４４をＡＴ ８０２へ送ってよい。登録応答メッセージ８４４はＡＴ ８０２のＨｏＡを含んでよい。Ｓ−ｅＢＳ／ＰＤＳＮ ８０４は、登録応答メッセージ８４４を８５０で探索(snoop)することによりＡＴ ８０２のＨｏＡを検出してよい。Ｓ−ｅＢＳ／ＰＤＳＮ ８０４およびＬＭＨＡ／ＡＡＧ ８０８は、Ｓ−ｅＢＳ／ＰＤＳＮ ８０４のＩＰアドレスをＡＴ ８０２のＨｏＡに８５２でバインドするためにＰＭＩＰｖ４ ＲＲＱ／ＲＲＰを介して通信してよい。
【００７７】
ＩＰｖ４パケット８５４は、ＭＩＰｖ４トンネル８５６を介してＭＩＰｖ４ ＨＡ ８１２およびＬＭＨＡ／ＡＡＧ ８０８間で送られてよい。ＩＰｖ４パケット８５４は、別のＭＩＰｖ４トンネル８５８を介してＬＭＨＡ／ＡＡＧ ８０８およびＳ−ｅＢＳ／ＰＤＳＮ ８０４間で送られてよい。
【００７８】
ＭＩＰｖ４ ＨＡ８１２がＡＴ ８０２のＨｏＡに向けられた複数のパケットを受け取る場合、ＭＩＰｖ４ ＨＡ８１２がトンネル８５６を介してこれらパケットをＬＭＨＡ／ＡＡＧ ８０８へ送ってよい。ＬＭＨＡ／ＡＡＧ ８０８はこの後トンネル８５８を介してこれらパケットをＳ−ｅＢＳ／ＰＤＳＮ ８０４へ送ってよい。Ｓ−ｅＢＳ／ＰＤＳＮ ８０４はこの後これらパケットをＡＴ ８０２へ送ってよい。
【００７９】
Ｓ−ｅＢＳ／ＰＤＳＮ ８０４がＡＴ ８０２からＣＮ(図示しない)に向けられた複数のパケットを受け取る場合、Ｓ−ｅＢＳ／ＰＤＳＮ ８０４がトンネル８５８を介してこれらパケットをＬＭＨＡ／ＡＡＧ ８０８へ送ってよい。ＬＭＨＡ／ＡＡＧ ８０８はこの後トンネル８５６を介してこれらパケットをＭＩＰｖ４ ＨＡ８１２へ送ってよい。ＭＩＰｖ４ ＨＡ８１２はこの後これらパケットをＣＮへ送ってよい。
【００８０】
あるポイントでは、ＡＴ ８０２のハンドオフ８６０がＳ−ｅＢＳ／ＰＤＳＮ ８０４からＴ−ｅＢＳ／ＰＤＳＮ ８０６へ生じてよい。ハンドオフ８６０の一部として、コンテキスト転送８６２がＳ−ｅＢＳ／ＰＤＳＮ ８０４およびＴ−ｅＢＳ／ＰＤＳＮ ８０６間で生じてよい。Ｓ−ｅＢＳ／ＰＤＳＮ ８０４はＡＴ ８０２のＨｏＡについてＴ−ｅＢＳ／ＰＤＳＮ ８０６に通知してよい。Ｔ−ｅＢＳ／ＰＤＳＮ ８０６およびＬＭＨＡ／ＡＡＧ ８０８は、Ｔ−ｅＢＳ／ＰＤＳＮ ８０６のＩＰアドレスをＡＴ ８０２のＨｏＡに８６４でバインドするためにＭＩＰｖ４ ＲＲＱ／ＲＲＰを介して通信してよい。
【００８１】
ＩＰｖ４パケット８６６は、ＭＩＰｖ４トンネル８７０を介してＭＩＰｖ４ ＨＡ８１２およびＬＭＨＡ／ＡＡＧ ８０８間で送られてよい。ＩＰｖ４パケット８６６は、別のＭＩＰｖ４トンネル８６８を介してＬＭＨＡ／ＡＡＧ ８０８およびＴ−ｅＢＳ／ＰＤＳＮ ８０６間で送られてよい。
【００８２】
図９は、モバイルＩＰ ＦＡ ＣｏＡモードにおいてＰＭＩＰを実現する別の方法９００を示す。この方法９００はＡＴ ９０２、Ｓ−ｅＢＳ／ＰＤＳＮ ９０４、Ｔ−ｅＢＳ／ＰＤＳＮ ９０６、ＬＭＨＡ／ＡＡＧ ９０８、ＨＡＡＡ ９１０およびＭＩＰｖ４ ＨＡ９１２を含む。Ｓ−ｅＢＳ／ＰＤＳＮ ９０４およびＴ−ｅＢＳ／ＰＤＳＮ ９０６は、ＡＴ ９０２内のモバイルＩＰクライアント機能用のプロキシである。
【００８３】
接続およびセッションの確立がＡＴ ９０２およびＳ−ｅＢＳ／ＰＤＳＮ ９０４間に９１４で生じてよい。成功裏のアクセス認証がＡＴ ９０２およびＳ−ｅＢＳ／ＰＤＳＮ９０４間に９１６で生じてよい。これは、ＨＡＡＡ ９１０へアクセス要求メッセージ９１８を送るＳ−ｅＢＳ／ＰＤＳＮ ９０４、およびアクセス承認メッセージ９２０をＳ−ｅＢＳ／ＰＤＳＮ ９０４へ送るＨＡＡＡ ９１０を含んでよい。ＡＴ ９０２およびＳ−ｅＢＳ／ＰＤＳＮ ９０４はセッションキー(s)を９２２で生成し交換してよい。
【００８４】
Ｓ−ｅＢＳ／ＰＤＳＮ ９０４はＡＡＧ ９０８によってサーブされる全ＡＴについてＦＡ ＣｏＡを９２４で取得してよい。
【００８５】
Ｓ−ｅＢＳ／ＰＤＳＮ ９０４はエージェント広告メッセージ９２６をＡＴ ９０２へ送ってよい。エージェント広告メッセージ９２６のソースアドレスはＬＭＨＡ ９０８であってよい。ＡＴ ９０２は登録要求メッセージ９２８をＳ−ｅＢＳ／ＰＤＳＮ ９０４へ送ってよい。登録要求メッセージ９２８の宛先アドレスはＬＭＨＡ ９０８であってよい。Ｓ−ｅＢＳ／ＰＤＳＮ ９０４はトンネル９３０を介して登録要求メッセージ９２８をＬＭＨＡ／ＡＡＧ ９０８へ送ってよい。
【００８６】
ＬＭＨＡ／ＡＡＧ ９０８はRADIUS/Diameterメッセージ９３２をＨＡＡＡ ９１０へ送ってよい。ＨＡＡＡ ９１０はRADIUS/Diameterメッセージ９３４をＬＭＨＡ／ＡＡＧ ９０８へ送ってよい。ＩＫＥ／ＩＰｓｅｃの保安連携確立がＬＭＨＡ／ＡＡＧ ９０８およびＭＩＰｖ４ ＨＡ９１２間に９３６で生じてよい。
【００８７】
ＬＭＨＡ／ＡＡＧ ９０８は登録要求９３８をＭＩＰｖ４ ＨＡ９１２へ送ってよい。ＭＩＰｖ４ ＨＡ９１２はRADIUS/Diameterメッセージ９４０をＨＡＡＡ ９１０へ送ってよい。ＨＡＡＡ ９１０はRADIUS/Diameterメッセージ９４２をＭＩＰｖ４ ＨＡ９１２へ送ってよい。
【００８８】
ＭＩＰｖ４ ＨＡ９１２は登録応答メッセージ９４４をＬＭＨＡ／ＡＡＧ ９０８へ送ってよい。ＬＭＨＡ／ＡＡＧ ９０８はトンネル９４６を介して登録応答メッセージ９４４をＳ−ｅＢＳ／ＰＤＳＮ ９０４へ送ってよい。Ｓ−ｅＢＳ／ＰＤＳＮ ９０４は登録応答メッセージ９４４をＡＴ ９０２へ送ってよい。登録応答メッセージ９４４はＡＴ ９０２のＨｏＡを含んでよい。
【００８９】
ＡＴ ９０２はこの後そのＨｏＡをＳ−ｅＢＳ／ＰＤＳＮ ９０４へ９５０で送ってよい。従って、Ｓ−ｅＢＳ／ＰＤＳＮ ９０４はこれをＡＴ ９０２から受け取ることによりＡＴ ９０２のＨｏＡを検出してよい。Ｓ−ｅＢＳ／ＰＤＳＮ ９０４およびＬＭＨＡ／ＡＡＧ ９０８は、Ｓ−ｅＢＳ／ＰＤＳＮ ９０４のＩＰアドレスをＡＴ ９０２のＨｏＡに９５２でバインドするためにＰＭＩＰｖ４ ＲＲＱ／ＲＲＰを介して通信してよい。
【００９０】
ＩＰｖ４パケット９５４はＭＩＰｖ４トンネル９５６を介してＭＩＰｖ４ ＨＡ９１２およびＬＭＨＡ／ＡＡＧ ９０８間で送られてよい。ＩＰｖ４パケット９５４は別のＭＩＰｖ４トンネル９５８を介してＬＭＨＡ／ＡＡＧ ９０８およびＳ−ｅＢＳ／ＰＤＳＮ ９０４間で送られてよい。
【００９１】
ＭＩＰｖ４ ＨＡ９１２がＡＴ ９０２のＨｏＡに向けらけれた複数のパケットを受け取る場合、ＭＩＰｖ４ ＨＡ９１２がトンネル９５６を介してこれらパケットをＬＭＨＡ／ＡＡＧ ９０８へ送ってよい。ＬＭＨＡ／ＡＡＧ ９０８はこの後トンネル９５８を介してこれらパケットをＳ−ｅＢＳ／ＰＤＳＮ ９０４へ送ってよい。Ｓ−ｅＢＳ／ＰＤＳＮ ９０４はこの後これらパケットをＡＴ ９０２へ送ってよい。
【００９２】
Ｓ−ｅＢＳ／ＰＤＳＮ ９０４がＡＴ ９０２からＣＮ(図示しない)に向けられた複数のパケットを受け取る場合、Ｓ−ｅＢＳ／ＰＤＳＮ ９０４がトンネル９５８を介してこれらパケットをＬＭＨＡ／ＡＡＧ ９０８へ送ってよい。ＬＭＨＡ／ＡＡＧ ９０８はこの後トンネル９５６を介してこれらパケットをＭＩＰｖ４ ＨＡ９１２へ送ってよい。ＭＩＰｖ４ ＨＡ９１２はこの後これらパケットをＣＮへ送ってよい。
【００９３】
あるポイントでは、Ｓ−ｅＢＳ／ＰＤＳＮ ９０４からＴ−ｅＢＳ／ＰＤＳＮ ９０６へのＡＴ ９０２のハンドオフ９６０が生じてよい。これは、Ｓ−ｅＢＳ／ＰＤＳＮ ９０４およびＴ−ｅＢＳ／ＰＤＳＮ ９０６間のコンテキスト転送９６２を伴ってよい。ハンドオフ９６０の一部として、コンテキスト転送９６２はＳ−ｅＢＳ／ＰＤＳＮ ９０４およびＴ−ｅＢＳ／ＰＤＳＮ ９０６間に生じてよい。Ｓ−ｅＢＳ／ＰＤＳＮ ９０４はＡＴ ９０２のＨｏＡについてＴ−ｅＢＳ／ＰＤＳＮ ９０６へ通知してよい。Ｔ−ｅＢＳ／ＰＤＳＮ ９０６およびＬＭＨＡ／ＡＡＧ ９０８は、Ｔ−ｅＢＳ／ＰＤＳＮ ９０６のＩＰアドレスをＡＴ ９０２のＨｏＡに９６４でバインドするためにＭＩＰｖ４ ＲＲＱ／ＲＲＰを介して通信してよい。
【００９４】
ＩＰｖ４パケット９６６は、ＭＩＰｖ４トンネル９７０を介してＭＩＰｖ４ ＨＡ９１２およびＬＭＨＡ／ＡＡＧ ９０８間で送られてよい。ＩＰｖ４パケット９６６は、別のＭＩＰｖ４トンネル９６８を介してＬＭＨＡ／ＡＡＧ ９０８およびＴ−ｅＢＳ／ＰＤＳＮ ９０６間で送られてよい。
【００９５】
図１０は、モバイルＩＰ ＦＡ ＣｏＡモードにおいてＰＭＩＰを実現する別の方法１０００を示す。この方法１０００はＡＴ １００２、Ｓ−ｅＢＳ １００４、Ｔ−ｅＢＳ １００６、ＡＡＧ １００８、ＶＡＡＡ／ＨＡＡＡ １０１０およびＭＩＰｖ４ ＨＡ１０１２を含む。Ｓ−ｅＢＳ １００４およびＴ−ｅＢＳ １００６はＡＴ １００２内のモバイルＩＰクライアント機能用のプロキシである。
【００９６】
接続およびセッションの確立がＡＴ １００２およびＳ−ｅＢＳ １００４間に１０１４で生じてよい。アクセス認証がＡＴ １００２およびＳ−ｅＢＳ １００４間に１０１６で生じてよい。これは、ＶＡＡＡ／ＨＡＡＡ １０１０へアクセス要求メッセージ１０１８を送るＳ−ｅＢＳ １００４、およびアクセス承認メッセージ１０２０をＳ−ｅＢＳ １００４へ送るＶＡＡＡ／ＨＡＡＡ １０１０を含んでよい。アクセス承認メッセージ１０２０はＡＴ １００２のＨｏＡを含んでよい。従って、Ｓ−ｅＢＳ １００４はこれを認証中にＶＡＡＡ／ＨＡＡＡ １０１０から受け取ることによりＡＴ １００２のＨｏＡを検出してよい。
【００９７】
ＡＴ １００２およびＳ−ｅＢＳ １００４はセッションキー(s)を１０２２で生成し交換してよい。Ｓ−ｅＢＳ １００４およびＬＭＨＡ／ＡＡＧ １００８は、Ｓ−ｅＢＳ １００４のＩＰアドレスをＡＴ １００２のＨｏＡに１０２４でバインドするためにＭＩＰｖ４ ＲＲＱ／ＲＲＰを介して通信してもよい。Ｓ−ｅＢＳ １００４はＡＡＧ １００８によってサーブされる全ＡＴについてＦＡ ＣｏＡを１０２６で取得/構成してよい。
【００９８】
Ｓ−ｅＢＳ １００４はエージェント広告メッセージ１０２８をＡＴ １００２へ送ってよい。エージェント広告メッセージ１０２８のソースアドレスはＡＡＧ １００８であってよい。ＡＴ １００２は登録要求メッセージ１０３０をＳ−ｅＢＳ １００４へ送ってよい。登録要求メッセージ１０３０の宛先アドレスはＡＡＧ １０３０であってよい。Ｓ−ｅＢＳ １００４はトンネル１０３２を介して登録要求メッセージ１０３０をＡＡＧ １００８へ送ってよい。
【００９９】
ＡＡＧ １００８はRADIUS/Diameterメッセージ１０３４をＶＡＡＡ／ＨＡＡＡ １０１０へ送ってよい。ＶＡＡＡ／ＨＡＡＡ １０１０はRADIUS/Diameterメッセージ１０３６をＡＡＧ １００８へ送ってよい。ＩＫＥ／ＩＰｓｅｃの保安連携確立がＡＡＧ １００８およびＭＩＰｖ４ ＨＡ １０１２間に１０３８で生じてよい。
【０１００】
ＡＡＧ １００８は登録要求１０４０をＭＩＰｖ４ ＨＡ１０１２へ送ってよい。ＭＩＰｖ４ ＨＡ１０１２はADIUS/Diameterメッセージ１０４２をＶＡＡＡ／ＨＡＡＡ １０１０へR送ってよい。ＶＡＡＡ／ＨＡＡＡ １０１０はRADIUS/Diameterメッセージ１０４４をＭＩＰｖ４ ＨＡ１０１２へ送ってよい。ＭＩＰｖ４ ＨＡ１０１２はＡＡＧ １００８に登録応答に１０４６を送ってよい。ＡＡＧ １００８はトンネル１０４８を介して登録応答１０４６をＳ−ｅＢＳ １００４へ送ってもよい。Ｓ−ｅＢＳ １００４は登録応答１０４６をＡＴ １００２へ送ってよい。
【０１０１】
ＩＰｖ４パケット１０５２はＭＩＰｖ４トンネル１０５４を介してＭＩＰｖ４ ＨＡ１０１２およびＡＡＧ １００８間で送られてよい。ＩＰｖ４パケット１０５２は別のＭＩＰｖ４トンネル１０５６を介してＡＡＧ １００８およびＳ−ｅＢＳ １００４間で送られてよい。
【０１０２】
ＭＩＰｖ４ ＨＡ１０１２がＡＴ １００２のＨｏＡに向けられた複数のパケットを受け取る場合、ＭＩＰｖ４ ＨＡ１０１２がトンネル１０５４を介してこれらパケットをＡＡＧ １００８へ送ってよい。ＡＡＧ １００８はこの後トンネル１０５６を介してこれらパケットをＳ−ｅＢＳ １００４へ送ってよい。Ｓ−ｅＢＳ １００４はこの後これらパケットをＡＴ １００２へ送ってよい。
【０１０３】
Ｓ−ｅＢＳ １００４がＡＴ １００２からＣＮ(図示しない)に向けられた複数のパケットを受け取る場合、Ｓ−ｅＢＳ １００４がトンネル１０５６を介してこれらパケットをＡＡＧ １００８へ送ってよい。ＡＡＧ １００８はこの後トンネル１０５４を介してこれらパケットをＭＩＰｖ４ ＨＡ１０１２へ送ってよい。ＭＩＰｖ４ ＨＡ１０１２はこの後これらパケットをＣＮへ送ってよい。
【０１０４】
あるポイントでは、Ｓ−ｅＢＳ／ＰＤＳＮ １００４からＴ−ｅＢＳ／ＰＤＳＮ １００６へのＡＴ １００２のハンドオフ１０５８が生じてよい。これは、Ｓ−ｅＢＳ／ＰＤＳＮ １００４およびＴ−ｅＢＳ／ＰＤＳＮ １００６間でのコンテキスト転送１０６０を伴ってよい。ハンドオフ１０５８の一部として、コンテキスト転送１０６０がＳ−ｅＢＳ／ＰＤＳＮ １００４およびＴ−ｅＢＳ／ＰＤＳＮ １００６間に生じてよい。Ｓ−ｅＢＳ／ＰＤＳＮ １００４は、ＡＴ １００２のＨｏＡについてＴ−ｅＢＳ／ＰＤＳＮ １００６へ通知してよい。Ｔ−ｅＢＳ／ＰＤＳＮ １００６およびＬＭＨＡ／ＡＡＧ １００８は、Ｔ−ｅＢＳ／ＰＤＳＮ １００６のＩＰアドレスをＡＴ １００２のＨｏＡに１０６２でバインドするためにＭＩＰｖ４ ＲＲＱ／ＲＲＰを介して通信してよい。
【０１０５】
ＩＰｖ４パケット１０６４は、ＭＩＰｖ４トンネル１０６６を介してＭＩＰｖ４ ＨＡ１０１２およびＬＭＨＡ／ＡＡＧ １００８間で送られてよい。ＩＰｖ４パケット１０６６は、別のＭＩＰｖ４トンネル１０６８を介してＬＭＨＡ／ＡＡＧ １００８およびＴ−ｅＢＳ／ＰＤＳＮ １００６間で送られてよい。
【０１０６】
図１０は、モバイルＩＰ ＦＡ ＣｏＡモードにおいてＰＭＩＰを実現する別の方法１１００を示す。ＡＴ １１０２、ｅＢＳ１ １１０４、ｅＢＳ２ １１０６、ＳＲＮＣ １１０８、ＡＧＷ １１１０、ＶＡＡＡ(プロキシ)１１１２およびＨＡＡＡ １１１４が示される。示した方法１１０は、ｅＢＳ １１０４，１００６およびＡＧＷ １１１０間でＧＲＥキーベースアプローチを含む。
【０１０７】
アクセス認証および認可が１１１６で生じてよい。ＳＲＮＣはＰＭＮ−ＡＮ−ＲＫを１１１１８で受け取ってよい。ＩＯＳ合図が１１２０で生じてよい。ｅＢＳ１ １１０４はＳＲＮＣ １１１８からＰＭＮ−ＡＮ−ＨＡ１キーおよびseq１を受け取ってよい。
【０１０８】
ｅＢＳ１ １１０４はリンクＩＤ １１２２をＡＴ １１０２へ送ってよい。ＡＴ １１０２はＤＡＰ移動要求１１２４をｅＢＳ１ １１０４へ送ってよい。
【０１０９】
ｅＢＳ１ １１０４はＰＭＩＰ ＲＲＱメッセージ１１２６をＡＧＷ １１１０へ送ってよい。ＡＧＷ １１１０はＰＭＩＰ ＲＲＰメッセージ１１２８をｅＢＳ１ １１０４へ送ってよい。ｅＢＳ１ １１０４はＤＡＰ割り当てメッセージ１１３０をＡＴ １１０２へ送ってよい。
【０１１０】
付加的なＩＯＳ合図が１１３２で生じてよい。ＡＴ １１０２は上位層へのリンクＩＤを１１３４で提供してよい。ＩＰアドレスの割り当てがこの後１１３６で生じてよい。
【０１１１】
ＰＭＩＰは特定のＧＲＥトンネルを使用してよい。これは従来のＰＭＩＰまたはＭＩＰに無い確かな恩恵を提供できる。１つの恩恵は、ＰＭＩＰトンネルがＩＰアドレスの割り当て前に確立できることであり、これによりこのトンネルがＡＧＷからＡＴへＩＰアドレスを割り当てるために使用できる。従って、ＰＭＩＰトンネルが確立された後、様々なタイプ(ＩＰｖ４、ＩＰｖ６、ＭＩＰｖ４、ＭＩＰｖ６)のＩＰアドレスをＡＴに割り当てることができる。別の恩恵は、重複プライベートＩＰアドレスを使用してよい場合に同じＰＭＩＰトンネルを展開支援のために使用できることにある。
【０１１２】
図１２は、無線装置１２０２に利用されてよい様々なコンポーネントを示す。
【０１１３】
無線装置１２０２は、ここに記述された様々な方法を実現するように構成されてもよい装置の例である。
【０１１４】
無線装置１２０２は、無線装置１２０２の動作を制御するプロセッサ１２０４を含んでよい。プロセッサ１２０４は中央処理装置(ＣＰＵ)を指してもよい。メモリ１２０６(これは読出専用メモリ(ＲＯＭ)およびランダム・アクセス・メモリ(ＲＡＭ)の両方を含んでよい)は、プロセッサ１２０４に命令とデータを提供する。メモリ１２０６の一部は不揮発性ランダム・アクセス・メモリ(ＮＶＲＡＭ)を含んでもよい。プロセッサ１２０４は、一般にメモリ１２０６内に格納されたプログラム命令に基づいて論理算術演算を行なう。メモリ１２０６内の命令はここに記述された方法を実現するために実行可能であってよい。
【０１１５】
無線装置１２０２は、無線装置１２０２および遠隔位置間でデータを送受信させるトランスミッタ１２１２およびレシーバ１２１２を収容し得るハウジング１２０８を含んでもよい。トランスミッタ１２１２およびレシーバ１２１２はトランシーバ１２１４に組み合わせてよい。アンテナ１２１６はハウジング１２０８に取り付けられ、トランシーバ１２１４に電気的に結合されてよい。無線装置１２０２はさらに多数のトランスミッタ、多数のレシーバ、多数のトランシーバおよび／または多数のアンテナ（図示しない）を含んでよい。
【０１１６】
無線装置１２０２は、トランシーバ１２１４によって受け取られた信号のレベルを検知し定量化するために使用され得る信号検出器１２１８を含んでよい。信号検出器１２１８は、総エネルギー、擬似雑音(ＰＮ)チップ当たりのパイロットエネルギー、電力スペクトル密度、その他の信号のような信号を検知してよい。無線装置１２０２は、信号処理に使用されるデジタル信号プロセサ(ＤＳＰ)１２２０を含んでよい。
【０１１７】
無線装置１２０２の様々なコンポーネントは、データバスに加えて、電源バス、制御信号バスおよびステータス信号バスを含み得るバスシステム１２２２によって一緒に結合されてよい。しかしながら、理解しやすいように、様々なバスはバスシステム１２２２として図１２に示される。
【０１１８】
ここで用いられるように、用語「検出」は種々様々な活動を包含し、このことから「検出」はカルキュレート(calculate)したり、コンピュート(compute)したり、処理したり、調査したり、参照したり、(例えば、テーブル、データベースまたは別のデータ構造において参照すること)、見極めたりするなどを含み得る。また、「検出」は受け取ったり(例えば、情報を受け取る)、アクセスしたり(例えば、メモリ内データをアクセスする)するなどを含み得る。また、「検出」は決定したり、選択したり、選定したり、確立したりするなどを含み得る。
【０１１９】
句「に基づいて」は、別段の定めが無い限り「のみに基づいて」を意味しない。言いかえれば、句「に基づいて」は「のみに基づいて」および「に少なくとも基づいて」の両方を記述したものである。
【０１２０】
本明細書について記載された様々な実例の論理ブロック、モジュールおよび回路は、汎用プロセッサ、デジタル信号プロセッサ(ＤＳＰ)、特定用途向けＩＣ(ＡＳＩＣ)、フィールドプログラマブルゲートアレイ信号(ＦＰＧＡ)または他のプログラマブル論理装置、離散ゲート、トランジスタロジック、離散ハードウェアコンポーネント、またはここに記述された機能を行なうように設計された任意の組み合わせで実現されたり行われたりしてよい。汎用プロセッサはマイクロプロセッサであってよいが、代替案では、プロセッサは市販されて入手可能なプロセッサ、コントローラ、マイクロコントローラまたはステートマシンのどれかでよい。プロセッサは、コンピューティングデバイス (例えばＤＳＰとマイクロプロセッサとの組み合わせ、複数のマイクロプロセッサ、ＤＳＰコアに連携する１個以上のマイクロプロセッサ、または他のそのような構成)の組み合わせとして実現されてよい。
【０１２１】
本明細書について記載された方法やアルゴリズムのステップは、ハードウェア、プロセッサによって実行されたソフトウェアモジュール、またはこれら２つのコンビネーションで直接的に実施されてよい。ソフトウェアモジュールは当該技術において知られる任意形式の記憶媒体で存在してよい。使用され得る記憶媒体のいくつかの例は、ＲＡＭメモリ、フラッシュメモリ、ＲＯＭメモリ、ＥＰＲＯＭメモリ、ＥＥＰＲＯＭメモリ、複数レジスタ、ハードディスク、リムーバブルディスク、ＣＤ−ＲＯＭなどを含む。ソフトウェアモジュールは単一の命令や多くの指示を含み、異なるプログラムおよび多様な記憶媒体に渡り、いくつかの異なるコードセグメントに分散されてよい。記憶媒体は、プロセッサが記憶媒体について情報を読み出したり情報を書き込んだりできるようにプロセッサに結合されてよい。代替案で、記憶媒体はプロセッサと一体化してよい。
【０１２２】
ここに開示された方法は、この方法を達成するために１以上のステップあるいはアクションを含む。この方法ステップおよび／またはアクションは請求項の範囲を逸脱せずに互いに入れ替えてもよい。言いかえれば、ステップまたはアクションの特定順序が指定されなければ、特定ステップおよび(または)アクションの使用および／または順序は請求項の範囲をせずに変形されてよい。
【０１２３】
記載の機能は、ハードウェア、ソフトウェア、ファームウェアまたはこれらの任意の組み合わせで実現されてよい。もしソフトウェアで実現されるならば、機能はコンピュータ可読媒体上に１つ以上の命令として格納されてよい。限定としない例として、コンピュータ可読媒体はコンピュータによってアクセス可能なあらゆる利用可能媒体であってよい。限定としない例として、コンピュータ可読媒体はＲＡＭ、ＲＯＭ、ＥＥＰＲＯＭ、ＣＤ−ＲＯＭ、または他の光ディスク記憶、磁気ディスク記憶や他の磁気記憶装置、あるいは所望のプログラムコードを命令やデータ構造の形式で搬送または格納するために使用できコンピュータでアクセスできる他の媒体を含んでよい。ここで用いられるようなディスク(disk)および(disc)は、コンパクト・ディスク(ＣＤ)、レーザーディスク（登録商標）、光ディスク、ディジタル・バーサタイル・ディスク(ＤＶＤ)、フロッピー（登録商標）ディスクおよびＢｌｕ−ｒａｙ（登録商標）ディスクを含み、ディスクが磁気的にデータを再生したり、レーザでデータを光学的に再生したりする。
【０１２４】
ソフトウェアまたは命令は伝送媒体を通して伝送されてもよい。例えば、同軸ケーブル、光ファイバケーブル、撚り対線、デジタル加入者線(ＤＳＬ)あるいは赤外線、ラジオおよびマイクロ波のような無線技術を使用して、ソフトウェアがウェブサイト、サーバあるいは他の遠隔ソースから伝送される場合には、同軸ケーブル、光ファイバケーブル、撚り対線、ＤＳＬあるいは赤外線、ラジオおよびマイクロ波のような無線技術が伝送媒体の定義に含まれる。
【０１２５】
複数の請求項が上で説明された厳密な構成およびコンポーネントに制限されないことは理解できたはずである。様々な変形、変更および変種が、ここに記述されたシステム、方法、および装置の配置、動作および詳細について請求項の範囲から逸脱せずに行われてよい。
【図１】
2010510728.tif 000003
【図２】
2010510728.tif 000004
【図３】
2010510728.tif 000005
【図４】
2010510728.tif 000006
【図５Ａ】
2010510728.tif 000007
【図５Ｂ】
2010510728.tif 000008
【図６】
2010510728.tif 000009
【図７Ａ】
2010510728.tif 000010
【図７Ｂ】
2010510728.tif 000011
【図８Ａ】
2010510728.tif 000012
【図８Ｂ】
2010510728.tif 000013
【図９Ａ】
2010510728.tif 000014
【図９Ｂ】
2010510728.tif 000015
【図１０Ａ】
2010510728.tif 000016
【図１０Ｂ】
2010510728.tif 000017
【図１１】
2010510728.tif 000018
【図１２】
2010510728.tif 000019
【国際調査報告】
2010510728.tif 000020
2010510728.tif 000021
2010510728.tif 000022